(57)【特許請求の範囲】
【請求項１】
コピー制御情報が付随したコンテンツをディジタル信号バスにより接続されたディジタル信号受信装置に送信するディジタル信号送信装置であって、
前記コンテンツはパケット形式のトランスポートストリームであり、
前記トランスポートストリームに前記パケットの時間間隔を制御するためのタイムスタンプを付加する処理手段と、
前記トランスポートストリームを前記コピー制御情報が示す状態によって異なる暗号化を行う暗号化手段と、
前記ディジタル信号受信装置に対して認証処理を行ない、認証された前記ディジタル信号受信装置に対して前記暗号化手段において暗号化された前記トランスポートストリームを送信するディジタル信号バス制御手段とを備え、
前記ディジタル信号バス制御手段による制御状態には、
前記コピー制御情報がコピー禁止であることを示すときに、前記暗号化手段において前記コピー制御情報がコピー禁止であることを示す状態に対応した第１の暗号化を行った前記トランスポートストリームを送信する第１の状態と、
前記コピー制御情報が制限付きでコピーを許可することを示すときに、前記暗号化手段において前記コピー制御情報が制限付きでコピーを許可することを示す状態に対応した第２の暗号化を行った前記トランスポートストリームを送信する第２の状態と、
前記コピー制御情報がコピーを制限なく許可することを示すときに、前記トランスポートストリームを暗号化を行わないで送信する第３の状態とを有することを特徴とするディジタル信号送信装置。
【請求項２】
コピー制御情報が付随したコンテンツをディジタル信号バスにより接続されたディジタル信号受信装置に送信するディジタル信号送信装置により実行されるディジタル信号送信方法であって、
前記コンテンツはパケット形式のトランスポートストリームであり、
前記トランスポートストリームに前記パケットの時間間隔を制御するためのタイムスタンプを付加する処理ステップと、
前記トランスポートストリームを前記コピー制御情報が示す状態によって異なる暗号化を行う処理ステップと、
前記ディジタル信号受信装置に対して認証処理を行ない、認証された前記ディジタル信号受信装置に対して暗号化された前記トランスポートストリームを送信する処理ステップとを備え、
前記トランスポートストリームを送信する処理ステップでは、
前記コピー制御情報がコピー禁止であることを示すときに、前記コピー制御情報がコピー禁止であることを示す状態に対応した第１の暗号化を行った前記トランスポートストリームを送信する第１の状態と、
前記コピー制御情報が制限付きでコピーを許可することを示すときに、前記コピー制御情報が制限付きでコピーを許可することを示す状態に対応した第２の暗号化を行った前記トランスポートストリームを送信する第２の状態と、
前記コピー制御情報がコピーを制限なく許可することを示すときに、前記トランスポートストリームを暗号化を行わないで送信する第３の状態とを有することを特徴とするディジタル信号送信方法。
【発明の詳細な説明】
【技術分野】
【０００１】
本発明は、ディジタル信号バスによって複数のディジタル信号処理装置を接続し、著作権を有するコンテンツを送受信するディジタル信号処理装置に関するものである。
【背景技術】
【０００２】
ディジタル信号バスでコンテンツを送受信すれば、映像信号や音声信号、データ等を品質の劣化無く送受信出来るので、ユーザーのメリットは大きい。しかし、品質の劣化が無いために著作権の保護が問題となる。ディジタル信号バスで送受信するコンテンツを暗号化する技術として、日経エレクトロニクス  １９９８．３．２３（ｎｏ．７１２）４７頁から５３頁に記載のものがある。この技術に記載のように、送信側と受信側で認証処理を行い、認証が成立した機器間にのみコンテンツの送受信が可能になる。このような処理を行うことで、コンテンツが違法にコピーされる事が出来ないように著作権を保護している。
【０００３】
また、上記記載のディジタル信号バスはコンテンツだけでなく、各機器を制御する情報も転送することもでき、１つの機器からディジタル信号バスで接続された全ての機器の制御を行うことが出来る。
【非特許文献１】日経エレクトロニクス１９９８．３．２３（ｎｏ．７１２）４７頁から５３頁
【発明の開示】
【発明が解決しようとする課題】
【０００４】
上記の技術を用いることで、コンテンツの著作権を保護出来るが、機器間の認証処理や暗号化処理は複雑で処理する情報量も大きく、処理に時間がかかる。さらに、接続する機器が増えることで、さらに処理量が増大するので操作性に問題が生じる。この様に、ディジタル信号バスでコンテンツの送受信を行う場合、従来のアナログ信号と遜色無い操作性を実現することと、ユーザーが意識することなくコンテンツの著作権を保護することが課題となる。
【０００５】
また、上記の技術を用いることで、どの１つの機器からも全ての機器の制御を行うことが出来るが、１つの目的に対して幾つも操作方法が存在することになり、操作方法がユーザーにわかりにくいものになる可能性がある。
【０００６】
本発明の目的は、上記のような問題を解決し、ユーザーが意識することなく、コンテンツの著作権を保護するディジタル信号処理装置の接続方法と操作性を改善したディジタル信号処理装置を提供することにある。
【課題を解決するための手段】
【０００７】
［課題を解決するための手段]
前記目的は、特許請求の範囲記載の発明によって達成される。
【発明の効果】
【００１３】
本発明のディジタル信号処理装置によれば、電源投入時や、ディジタル信号バスに接続されたときに、ディジタル信号バスに接続された機器間で著作権管理のための認証処理を行うので、制限付き認証が必要なコンテンツが送信されてもすぐに受信できる。
【００１４】
また、ディジタル信号バスと接続された入力端子を選択した場合に、ディジタル信号バスに接続された機器間で、著作権管理のための認証処理を行うことによって、必要な時にだけ接続処理するので、処理の負担が少ない。
【００１５】
また、ディジタル信号バスに接続された機器間で使用する鍵を記憶しておくことによって、送信機器からのコンテンツのコピー管理情報が切り替わっても、鍵を記憶させてあるので認証処理を行う必要が無く、途中で画像が途切れることがない。
【００１６】
また、コンテンツの付随した著作権管理情報に応じて、ディジタル信号バスの転送チャネルを変更することによって、１つの転送チャネルで１つの鍵しか設定出来ない場合でも、送信機器からのコンテンツのコピー管理情報が切り替わっても、鍵を記憶させてあるので認証処理を行う必要が無く、途中で画像が途切れることがない。
【００１７】
また、機器が、ディジタル信号バスに接続されたそれぞれの機器の名称を定義することによって、ユーザーに解りやすいインタフェースを提供出来る。
【発明を実施するための最良の形態】
【００１８】
以下、本発明の一実施例を図を用いて説明する。
【００１９】
まず、実施例について説明する。図１は本発明のディジタル信号処理装置の接続方法の一例を説明する為の構成例である。図１において、１００はディジタルチューナ、１０２はディジタル信号バス、１０３と１０４はディジタルＶＴＲ、１０５はディジタルビデオディスク、１０６はディジタルディスプレイである。
【００２０】
最初に、図１のディジタル信号バス１０２に接続された機器で、ディジタル信号バス１０２の初期設定動作が開始される。ここではバスのルートとなる機器が決定され、ルートとなった機器が、バスの転送チャネルやタイミングで信号が衝突が発生しないように管理を行う。ルート以外の機器は、バスの転送チャネルやタイミングついてルート機器に問い合わせを行い、衝突が無い場合にバスの使用を許可される。
【００２１】
ここで、ディジタル信号バス１０２の転送動作について説明しておく。図２は、ディジタル信号バス１０２の転送の様子を示したものである。２００はサイクルスタートパケット、２０１はＡＶデータＡ、２０２はＡＶデータＢ、２０３は非同期転送データである。ＡＶデータとはオーディオとビデオが混在したデータであり、図２は２つのＡＶデータのストリームが転送されている例である。このように、２つのストリームは時分割した別々のチャネルを確保して転送する。非同期転送データ２０３は、各機器のコマンドや各機器の設定に関するデータなどである。
【００２２】
図２の点線から点線の時間をサイクルと呼び、１サイクル期間に、ＡＶデータＡ２０１とＡＶデータＢ２０２の決められた転送帯域が、必ず確保されるようにバスが制御される。非同期転送データ２０３は、ＡＶデータＡ２０１とＡＶデータＢ２０２の転送が終了した後に転送される。具体的には、サイクルスタートパケット２００に続いてＡＶデータＡ２０１とＡＶデータＢ２０２、非同期転送データ２０３の転送されるが、サイクル周期が守れないときは、非同期転送データ２０３の転送にウエイトが掛かる。
【００２３】
次に、各機器間で認証処理を行う。認証処理は、完全認証と制限付き認証の２種類あり、著作権の管理情報と機器の内容によって使い分けられる。完全認証は、送信側と受信側の機器が公開鍵を持っている場合にのみ成立し、完全認証が成立するとコピー禁止のコンテンツであっても転送が認められる。受信側で公開鍵を持つものとしては、ディジタルディスプレイ等記録するデバイスを持たないものや、課金等により記録することが許可された記録デバイスをもつものになる。制限付き認証は、共通鍵しか持たない機器に対する認証であり、ディジタルＶＴＲ等の記録デバイスを持つ機器を対象にしている。制限付き認証では、コピー禁止のコンテンツの転送は認められない。これらの動作を図３にまとめる。
【００２４】
図３のステップ３０１で、機器がどんな認証方法をもっているか、コンテンツのコピー管理情報はどうなっているのかによって認証方法の選択を行う。コピーが何回でも可能なコンテンツに関しては認証も暗号化も行わないので処理を終了する。ステップ３０１で認証方法の選択を行った後、完全認証を行う場合はステップ３０２、制限付き認証を行う場合はステップ３０３で認証処理を行う。その後、ステップ３０４でコンテンツを暗号化する際の暗号鍵を共有して認証処理は終了する。
【００２５】
コピー制限のあるコンテンツの送受信には、以上の処理が必要になるが、認証処理は計算量が大きく処理に時間がかかるので、これらの処理をいつ行うかが問題となる。
【００２６】
次に、ディジタル信号バス１０２に接続された機器の内部について説明する。ここでは例えばディジタルビデオディスク１０５の内部について、図４を用いて説明する。図４で、４０１はディジタル信号バス入出力端子、４０２がアナログ出力端子、４０３がアナログ入力端子、４０４がインターフェース（以下ＩＦ）回路、４０５がデコーダ、４０６がエンコーダ、４０７がストリーム変換回路、４１０が入力切換回路、４１１が出力切換回路、４１２が記録信号処理回路、４１３が再生信号処理回路、４１４がマイコン、４１５がディスク、４１６ピックアップがである。
【００２７】
バスの制御や認証処理は、主にＩＦ回路４０４で処理されるが、まず、基本的な動作について説明する。
【００２８】
記録動作は、マイコン４１４からの入力制御信号で入力切換回路４１０を制御し、アナログ入力を選択した時は、アナログ入力端子４０３から入力したアナログ信号を、エンコーダ４０６で所謂ＭＰＥＧのような方式でエンコードしまた、ディジタル信号バス１０２からのストリームでも、デコーダ４０５でデコードできるので、記録しているストリームのモニターを確認することができる。
【００２９】
再生動作は、ディスク４１５上に記録されている信号を、ピックアップ４１６で再生データを読み取り、再生信号処理回路４１３で圧縮ディジタル信号を再生する。出力切換回路４１１をマイコン４１４からの出力制御信号で制御して、入力信号のモニター出力か再生出力かを選択する。出力切換回路４１１の出力は、デコーダ４０５とストリーム変換回路４０７に出力し、デコーダ４０５では、圧縮ディジタル信号をアナログ信号に変換し、アナログ信号出力端子４０２からアナログ信号を出力し、ストリーム変換回路４０７では、ディジタル信号バスで転送する為のトランスポートストリームに変換してＩＦ回路４０４に出力し、ディジタル信号バス入出力端子４０１から出力する。
【００３０】
この様に、ストリーム変換回路４０７を用いることにより、ディスクから再生した信号も、トランスポートストリームに変換出来るので、ディジタル信号バスに転送することができる。
【００３１】
次に、ＩＦ回路４０４の動作について、図５を用いて説明する。図５で、５０１はストリーム入出力端子、５０３はＩＦ制御信号入出力端子、５０４は暗号処理回路、５０５は非同期転送処理回路、５０６はマイコン、５０７は同期転送処理回路、５０８はパケット処理回路、５０９はバス制御回路、５１０はディジタル信号バス入出力端子である。
【００３２】
先に説明したバスの初期設定動作は、バス制御回路５０９で行う。初期設定動作は、ディジタル信号バスに接続された各ディジタル機器のバス制御回路同士が通信することにより行われる。初期設定動作が終了してルート機器が決定すると、マイコン５０６がパケット処理回路５０８を介して各ディジタル機器の構成情報を認識する。各ディジタル機器の構成を認識した後、マイコン５０６は接続可能な機器に対して接続処理を行い、認証処理を行う。これらの処理はマイコン５０６からのコマンドを、非同期転送処理回路５０５を介してパケット処理回路５０８で転送パケットに変換し、バス制御回路５０９によりディジタル信号バス１０２上で送受信することで行われる。
【００３３】
これらの処理の後、各ディジタル機器の接続情報を、図４のマイコン４１４に接続情報を転送する。マイコン４１４では接続情報を基に、ユーザーに対して機器構成を表示して、接続可能かどうか、転送可能かどうかを表示し、ユーザーが機器の接続の選択に利用する。この様に接続情報をユーザーに表示することによって、ユーザーが接続可能かどうか等で迷うことが無い。
【００３４】
ここで、図１の様にディジタルＶＴＲが２つ存在する場合や接続する機器が増えた場合など、ユーザーが機器を識別することが難しくなるケースがある。そこで、これらの機器の名称をユーザーが自由に定義することもできる。例えば、２つのディジタルＶＴＲは、”ＤＶＴＲ１“と”ＤＶＴＲ２“などとし、ディジタルチューナ１００は、放送サービス名称等、例えば”ＢＳ−Ｄ“等で定義するようにする。この様な定義を行うことで、ユーザーに解りやすいインタフェースを提供出来る。
【００３５】
接続、認証処理を終了した後、ストリームの送受信が可能になる。ディジタル信号バス１０２上のストリームを受信するには、まずバス制御回路５０９で受信し、受信した転送パケットをパケット処理回路５０８で変換し、同期転送処理回路５０７で時間間隔を再現してトランスポートストリームを再現する。そしてトランスポートストリームを暗号処理回路５０４で、認証処理で共有した鍵を用いて暗号を解除し、ストリーム入出力端子５０１からストリームを出力する。ディジタル信号バス１０２上にストリームを出力するには、まず、ストリーム入出力端子５０１からのストリームを暗号処理回路５０４で、認証処理で共有した鍵を用いて暗号化処理する。この暗号処理回路５０４でストリームを暗号化するかどうかは、ビデオディスクに記録されたコピー情報で図４のマイコン４１４で判断し、マイコン５０６と通信することで制御する。同期転送処理回路５０７で時間間隔を再現する為のタイムスタンプを付加し、パケット処理回路５０８で転送パケットに変換してバス制御回路５０９で送信してディジタル信号バス１０２上にストリームを出力する。
【００３６】
次に、いつ、どのように認証処理を行うかについて説明する。まず、全体を制御するコントローラが存在する場合、ここでは例えば、ディジタルディスプレイ１０６がコントローラである場合について説明する。
【００３７】
認証処理は受信側の要求によって処理が開始されるので、コントローラから受信する機器に対して認証を行うようにコマンドを送ることが考えられる。図１で受信することのできる機器は、ディジタルＶＴＲ１０３と１０４、ディジタルディスプレイ１０６であり、送信する機器はディジタルディスプレイ１０６以外の全てである。コントローラであるディジタルディスプレイ１０６から、各送信機器に対して認証を行うように各受信機器にコマンドを送る。
【００３８】
この時の処理の手順を図６に示す。ステップ６０１で送信機器、例えばディジタルチューナ１００を選択し、ステップ６０２で完全認証可能な機器と完全認証を行う。図１では例えば、ディジタルディスプレイ１０６であり、ディジタルディスプレイ１０６からディジタルチューナ１００に認証要求を行い、認証処理して鍵を共有して記憶しておく。ステップ６０３では制限付き認証のできる受信機器、ここではディジタルディスプレイ１０６、ディジタルＶＴＲ１０３と１０４からディジタルチューナ１００との間で制限付き認証を行い、ディジタルチューナ１００とディジタルディスプレイ１０６、ディジタルＶＴＲ１０３と１０４とで鍵を共有して記憶しておく。ステップ６０４で全ての送受信機器と認証処理が終了したかを確認し、終了していない場合はステップ６０１に戻り、別の送信機器、例えばディジタルビデオディスク１０５を選択して、同様の認証処理を繰り返す。なおここで、認証処理自体を持っていない機器に対しては処理から外す。
【００３９】
以上の様に、コンテンツを送受信する前、電源投入時や接続時に認証処理を行うことによって、暗号化されたコンテンツが送信されても途切れることなく受信出来る。また、鍵を共有して記憶することによって、ディジタルディスプレイ１０６に於いては、送信機器からのコンテンツのコピー管理情報が切り替わっても、鍵を記憶させてあるので認証処理を行う必要が無く、途中で画像が途切れることがない。ディジタルチューナ１００とディジタルディスプレイ１０６、ディジタルＶＴＲ１０３と１０４では、鍵を共有しているので、制限付き認証が必要なコンテンツが送信されても全ての機器で受信できるので、アナログ信号で接続した場合と比較しても違和感が無い。
【００４０】
上記の処理は、ディジタル信号バス１０２に接続された機器の電源が同時に投入された場合であるが、各機器が別々に電源が投入される場合でも、コントローラとなった機器が電源の投入された機器を検出して、順次処理を行う。
【００４１】
また、主電源がＯＦＦされても、スタンバイ状態等でＩＦ回路４０４の電源が供給されていれば接続状態は維持出来るので、認証処理を新たに行う必要はない。
【００４２】
また、電源が投入されていてもディジタル信号バス１０２に、後から接続するケースも考えられる。この場合も、コントローラがバスの接続を検出して認証処理を行い、鍵が共有出来るようにする。
【００４３】
これらの新たな接続機器の検出は、コントローラ以外の機器が検出してバスをリセットして、初期設定動作から再接続する動作を行ってもよい。
【００４４】
ここで、１つの転送チャネルに付き暗号化の鍵を１つだけに限定する場合がある。この場合は、コンテンツのコピー管理情報が途中で切り替わった場合、再び認証処理を行う必要があるが、コンテンツのコピー管理情報毎に転送チャネルを用意して認証処理し、鍵を記憶する様にすることで同様の効果が得られる。
【００４５】
次に、コントローラを特に設定しないケースについて説明する。基本的に受信機器が認証の要求を行うので、主に受信機器の動作について説明する。例として、図１の受信機器としてディジタルＶＴＲ１０３の処理について説明する。まず送信機器の検索を行い、複数存在する時はその中でどれかを選択する。図１では、ディジタルビデオディスク１０５を選択する。次に、選択したディジタルビデオディスク１０５とディジタルＶＴＲ１０３の間で認証処理を行う。ここの認証処理では、制限付き認証と完全認証可能なものは完全認証を行う。そして、ディジタルビデオディスク１０５が既に他の受信機器と接続済みかどうかを確認する。ディジタルビデオディスク１０５が、例えばディジタルディスプレイ１０６との間で接続済みの場合は、認証処理が終了して鍵が共有されていることを意味しているので、ディジタルＶＴＲ１０３でも同じ鍵を共有して記憶する様にする。未接続の場合は、新規に鍵を共有する。以上の処理を、全ての送信機器間で認証処理が終了するまで繰り返す。
【００４６】
また、この時の鍵としては、暗号化の鍵の種となる鍵を認証時に共有しておき、暗号化の鍵をその種となる鍵を用いて、互いに決められた計算方法で、ある時間間隔で順次更新していく場合もある。
【００４７】
以上の手順を、図７に示す。図７のステップ７０１で、まず送信機器の検索を行い、選択する。次にステップ７０２で、選択した送信機器との間で認証処理を行う。そしてステップ７０３で、選択した送信機器が既に他の受信機器と接続済みかどうかを確認する。接続済みの場合は、認証処理が終了して鍵が共有されていることを意味しているので、接続済みの場合はステップ７０４で、接続先の受信機器と同じ鍵を共有する様にする。未接続の場合は、ステップ７０６で新規に鍵を共有する。以上の処理を、ステップ７０６で全ての送信機器間で認証処理が終了するまで繰り返す。
【００４８】
図７の処理は受信機器が接続されたり、電源が投入されたりした場合についてであるが、送信機器が新たに接続されたり、電源が投入されたりした場合についても、この送信機器を検出することによって同様な処理で認証処理する。また、他の受信機器と接続済みでコンテンツを転送中であっても、同様な処理で認証処理する。
【００４９】
以上のように、コントローラが特に設定されていない場合でも、上記の処理をそれぞれの受信機器が行うことによって、コピー管理情報毎に鍵を記憶させてあるので、送信機器からのコンテンツのコピー管理情報が切り替わっても、認証処理を行う必要が無く、途中で画像が途切れることがない。また、1つの送信機器に対して各受信機器が鍵を共有することができるので、制限付き認証が必要なコンテンツが送信されても全ての機器で受信でき、アナログ信号で接続した場合と比較しても違和感が無い。
【００５０】
以上の実施例で、全ての機器と接続処理、認証処理を行うと述べたが、極端に多くの機器を接続した場合等、処理時間が無視出来ないほど大きくなるケースは、予め登録した機器に対してのみ行うようするか、過去に転送したことのある機器に対してのみ行うようにしても同様な効果が得られる。
【００５１】
また、図１のような接続形態を、ブリッジを介して複数接続する場合がある。この場合は、ブリッジ内で接続された機器に対して行うようにし、ブリッジを介して接続する場合は、転送の度に認証処理を行うようにしても同様な効果が得られる。
【００５２】
次に、入力を切り替えた際に認証処理を行う場合について説明する。ディジタルビデオディスク１０５は、アナログ入力とディジタル入力を持つので、ディジタル入力を選択した場合に認証処理を行うようにしてもよい。この場合は、入力切替時に処理時間が必要になるが、必要な時にだけ接続処理を行うので、処理の負担が少なくなる。
【００５３】
この時の処理を図８に示す。ステップ８０１でコンテンツを送信している送信機器を検索して、目的の送信機器を選択する。ステップ８０２で認証処理を行い、ステップ８０３で他の機器と接続済みかどうかを確認して、接続済みならばステップ８０４で接続済みの機器と鍵を共有し、未接続であれば新規に鍵を共有する。以上の様に、必要な時にだけ接続処理するので、処理の負担が少ない。この実施例では、アナログ入力とディジタル入力を持つ機器について説明したが、２つ以上のディジタル入力を持つ機器であっても同様である。また、ここではディジタルビデオディスクについて説明を行ったが、他のディジタル機器においても同様な処理を行う。
【００５４】
以上で述べた認証処理は、コピー情報や著作権情報以外に用いるものでも同様に処理出来る。
【図面の簡単な説明】
【００５５】
【図１】本発明のディジタル信号処理装置の接続方法を説明する実施例の構成図である。
【図２】ディジタル信号バスのタイミング図である。
【図３】認証処理を示すフローを示す図である。
【図４】図１のディジタルビデオディスクの構成を示す図である。
【図５】図４のＩＦ回路の構成を示す図である。
【図６】機器間の認証処理を示すフローを示す図である。
【図７】機器間の認証処理を示すフローを示す図である。
【図８】機器間の認証処理を示すフローを示す図である。
【符号の説明】
【００５６】
１００…ディジタルチューナ、１０２…ディジタル信号バス、１０３と１０４…ディジタルＶＴＲ、１０５…ディジタルビデオディスク、１０６…ディジタルディスプレイ、２００…サイクルスタートパケット、２０１…ＡＶデータＡ、２０２…ＡＶデータＢ、２０３…非同期転送データ、４０１…ディジタル信号バス入出力端子、４０２…アナログ出力端子、４０３…アナログ入力端子、４０４…ＩＦ回路、４０５…デコーダ、４０６…エンコーダ、４０７…ストリーム変換回路、４１０…入力切換回路、４１１…出力切換回路、４１２…記録信号処理回路、４１３…再生信号処理回路、４１４…マイコン、４１５…ディスク、４１６…ピックアップ、５０１…ストリーム入出力端子、５０３…ＩＦ制御信号入出力端子、５０４…暗号処理回路、５０５…非同期転送処理回路、５０６…マイコン、５０７…同期転送処理回路、５０８…パケット処理回路、５０９…バス制御回路、５１０…ディジタル信号バス入出力端子。
【図１】
0004663601.tif 000002
【図２】
0004663601.tif 000003
【図３】
0004663601.tif 000004
【図４】
0004663601.tif 000005
【図５】
0004663601.tif 000006
【図６】
0004663601.tif 000007
【図７】
0004663601.tif 000008
【図８】
0004663601.tif 000009